(57)【要約】【課題】光コンセント用コネクタにおいて、簡単な構成により、組込が容易で確実に遮光できるとともに耐久性に優れる遮光扉を備える。【解決手段】コネクタ１は、前後方向両端にそれぞれ開口１１及び開口１２を有し、突起２０により外形の上下が区別される合成樹脂成形体からなる略矩形筒状のハウジング２と、開口１１，１２から挿入されるプラグをそれぞれ着脱自在に係止して、プラグの保持した光ファイバを互いに光結合させるためハウジング２に内蔵されたスリーブ４と、プラグの着脱に伴って自在に開閉する遮光用の観音開扉３と、を備えている。観音開扉３はその回動軸３２をハウジング２の開口端に設けた支持溝に収納されるとともにハウジング２に係止された押え枠５によって支持されている。【選択図】図３
2006003468.tif 000002
【特許請求の範囲】
【請求項１】
長手方向両端にそれぞれ第１開口及び第２開口を有する略筒状のハウジングと、前記第１開口から挿入される第１光ファイバを保持している第１プラグ及び前記第２開口から挿入される第２光ファイバを保持している第２プラグをそれぞれ着脱自在に係止し、前記第１及び第２光ファイバを互いに光結合させるための前記ハウジングに内蔵されたスリーブと、を備えた光コンセント用コネクタにおいて、
前記第１又は第２開口の少なくともいずれか一方の開口には前記プラグの着脱に伴って自在に開閉する遮光用の観音開扉が設けられ、前記観音開扉はその回動軸を前記ハウジングの開口端に設けた支持溝に収納されるとともに前記ハウジングに係止された押え枠によって支持されていることを特徴とする光コンセント用コネクタ。
【請求項２】
前記押え枠は、前記ハウジングの開口より狭い開口を備えて前記プラグの逆入れ防止を行うことを特徴とする請求項１に記載の光コンセント用コネクタ。
【請求項３】
前記押え枠は、前記観音開扉の回転停止を行うことを特徴とする請求項１又は請求項２に記載の光コンセント用コネクタ。
【請求項４】
前記押え枠は、互いに識別可能な複数の色のいずれかにより着色されていることを特徴とする請求項１乃至請求項３のいずれかに記載の光コンセント用コネクタ。
【発明の詳細な説明】
【技術分野】
【０００１】
本発明は、光コンセント用コネクタに関する。
【背景技術】
【０００２】
従来、造営物などに配設された光ファイバに着脱自在に他の光ファイバを接続する光コンセント用コネクタが提案されている（例えば、特許文献１参照）。ところで、特許文献１に示されるようなコネクタにおいては、光ファイバを備えて適宜着脱されるプラグがコネクタに接続されていない状態では、造営物などに配設された光ファイバを介して送られてくるレーザ光がコネクタから漏洩するため、コネクタのプラグ挿入口を一々蓋で閉塞する必要であった。そこで、本願発明者らは、非使用時における光漏洩が無く、しかもプラグ着脱に伴い自動的に遮光扉が開閉する光コンセント用コネクタを提案している（特願２００３−３３０３５３）。
【０００３】
上述の遮光扉を備えた光コンセント用コネクタを、図１３（ａ）〜（ｅ）を参照して説明する。図中に示した前後左右上下の方向を適宜参照する。この光コンセント用コネクタ（以下、単にコネクタ）は、合成樹脂成形体からなる中空直方体状のハウジング２と、ハウジング２の内部に挿入係止されたスリーブ４と、ハウジング２の前方の開口１１に設けられた遮光扉９（９ａ，９ｂ）と、を備えている。このコネクタは、前方の開口１１から挿入される、例えばＪＩＳ規格で決められた標準（ＪＩＳＦ０４形）の光ファイバ用プラグを着脱自在に係止するとともに、造営物などに配設された光ファイバを保持して後方の開口１２から挿入されるプラグを着脱可能に係止して、互いのプラグに保持された光ファイバを光結合させるものである。このコネクタは、２連のプラグ接続が可能であり、屋内の壁面などに設置して用いられる。
【０００４】
ハウジング２は、内部空間を隔壁により左右に仕切り、それぞれの空間にそれぞれ同一構造のスリーブ４と遮光扉９を備えている。スリーブ４は、軸方向に割溝の形成された調芯筒４０を内部に装着している。この調芯筒４０は、前後から挿入されるプラグが保持した光ファイバを調芯する。スリーブ４の前方と後方には、それぞれ左右一対のプラグ係止用腕木４３，４４が設けられている。
【０００５】
開口１１に設けられた遮光扉９は、奥向きに観音開きされる左右一対の扉体９ａ，９ｂから成る。各扉体９ａ，９ｂは、捻りコイルバネ９３によってハウジング２の内部から外部に向かって回転する方向に付勢され、また、ハウジング２の上方壁面に設けられた貫通孔から挿入された回転抑制ピン９５によって回転限界が決定されて、遮光時の所定位置に位置決めされる。なお、右側の開口１１において、プラグは挿入されていないが、説明のため開状態の遮光扉９が示されている。
【０００６】
上述の扉体９ａ，９ｂのハウジングへの取付について説明する。扉体９ａ、９ｂの後面には、例えば扉体９ａについて図１３（ｄ）に示すように、捻りコイルバネ収納凹部９３ａが形成されており、捻りコイルバネ９３のコイル部分に挿通したコイル支持ピン９４が、その両端部が支持されるように捻りコイルバネ収納凹部９３ａに圧入される。
【０００７】
また、左右に突出した軸ピン９１が、扉体９ａ，９ｂとの一体成形によって扉体９ａ，９ｂの回転軸位置に形成されている。この軸ピン９１は、ハウジング２の上下壁に設けられた軸孔９２に、ハウジングの前方から圧入される。そこで、上述した捻りコイルバネ９３を備えた扉体９ａ，９ｂの軸ピン９１を軸孔９２に圧入した後、回転抑制ピン９５を前記貫通孔に挿入することにより、遮光扉９のハウジング２への組込が完了する。
【特許文献１】特開２０００−３３８３６７号公報
【発明の開示】
【発明が解決しようとする課題】
【０００８】
しかしながら、上述した図１３に示す光コンセント用コネクタにおいては、依然として以下に示すような問題点がある。すなわち、遮光扉９をハウジング２に組み込むため扉体９ａ又は扉体９ｂの軸ピン９１を軸孔９２に圧入する際や、光ファイバ接続のため遮光扉９を押し広げつつ光ファイバ付きプラグを挿入する際に、不適切な圧入や挿入作業によっては、遮光扉９の軸ピン９１に大きな荷重がかかり、軸ピン９１が壊れてしまうことがある。また、回転抑制ピン９５が開口１１の内部に入り過ぎた状態になることがあり、この場合、プラグを抜き取った際に、遮光扉９が閉じる途中で回転抑制ピン９５に当たるため半閉じ状態になる。逆に、抑制ピン９５が開口１１の内部に向けて充分に挿入されていないと、扉回転抑制ができないため遮光扉９がコネクタの外部に飛び出てくることになる。
【０００９】
本発明は、上記課題を解消するものであって、簡単な構成により、組込が容易で確実に遮光できるとともに耐久性に優れる遮光扉を備えた光コンセント用コネクタを提供することを目的とする。
【課題を解決するための手段】
【００１０】
上記課題を達成するために、請求項１の発明は、長手方向両端にそれぞれ第１開口及び第２開口を有する略筒状のハウジングと、前記第１開口から挿入される第１光ファイバを保持している第１プラグ及び前記第２開口から挿入される第２光ファイバを保持している第２プラグをそれぞれ着脱自在に係止し、前記第１及び第２光ファイバを互いに光結合させるための前記ハウジングに内蔵されたスリーブと、を備えた光コンセント用コネクタにおいて、前記第１又は第２開口の少なくともいずれか一方の開口には前記プラグの着脱に伴って自在に開閉する遮光用の観音開扉が設けられ、前記観音開扉はその回動軸を前記ハウジングの開口端に設けた支持溝に収納されるとともに前記ハウジングに係止された押え枠によって支持されているものである。
【００１１】
請求項２の発明は、請求項１に記載の光コンセント用コネクタにおいて、前記押え枠は、前記ハウジングの開口より狭い開口を備えてプラグの逆入れ防止を行うものである。
【００１２】
請求項３の発明は、請求項１又は請求項２に記載の光コンセント用コネクタにおいて、前記押え枠は、前記観音開扉の回転停止を行うものである。
【００１３】
請求項４の発明は、請求項１乃至請求項３のいずれかに記載の光コンセント用コネクタにおいて、前記押え枠は、互いに識別可能な複数の色のいずれかにより着色されているものである。
【発明の効果】
【００１４】
請求項１の発明によれば、観音開扉の回動軸をハウジングの開口端に設けた支持溝に収納するとともに、ハウジングに係止された押え枠によって回動軸を支持して遮光用の観音開扉をハウジングの開口端に設けるので、ハウジングへの遮光用扉の組み込みが前方の一方向のみからできて容易であり、従って、組み込み中の部品損壊が発生せず、また、遮光用扉の組み込み不良や動作不良の発生がなくなる。
【００１５】
請求項２の発明によれば、押え枠の開口縁辺により、ハウジングの入り口においてプラグの逆入れ防止ができる。
【００１６】
請求項３の発明によれば、押え枠により観音開扉の回転停止をするので、観音開扉の開口からの飛び出しなどの不具合が発生しない。
【００１７】
請求項４の発明によれば、複数の光コンセント用コネクタに対して押え枠の色を変えることにより、例えば、本コネクタをモジュララックに多数納めた状態においても識別が容易である。従って、例えば、マンションにおいて本コネクタを集合して用いる場合に各階毎にコネクタの色分けしたり、光通信の基地局において地域毎にコネクタの色分けをして、コネクタ識別の容易性により光ファイバ接続接続作業等における利便性が高められる。
【発明を実施するための最良の形態】
【００１８】
以下、本発明の一実施形態に係る光コンセント用コネクタについて、図面を参照して説明する。図中に示した前後左右上下の方向を適宜参照する。図１は、光コンセント用コネクタ（以下、単にコネクタ）１を示し、図２は、コネクタ１の使用状態、及び設置状態を示し、図３はコネクタ１の内部構造を示す。
【００１９】
コネクタ１は、図１に示すように、略直方体のハウジング２の前面に押え枠５によって支持された遮光用の観音開扉３を２組備えており、２系統の光ファイバを接続できる。すなわち、後方Ｙ方向からプラグに保持されて２系統の光ファイバがハウジング２内に導入され、前方Ｘ方向から、例えばＪＩＳ規格で決められた標準（ＪＩＳＦ０４形）の光ファイバ用プラグに保持された２系統の光ファイバがそれぞれ独立にハウジング２内に導入され、既に導入されている光ファイバに対し、それぞれ光結合される。観音開扉３は、プラグの非挿入時には閉じており、プラグ挿入時には、プラグの挿入圧によって、左右に開扉され、プラグの引き抜き時には、観音開扉３に内蔵された捻りコイルバネ３３（図３（ｂ））の付勢力によって自動的に閉状態となる。
【００２０】
コネクタ１は、図２（ａ）に示すように、例えば屋内の壁面１０２に取りつけられたコンセント筐体１００の片開き蓋１０１に固定して用いられる。コネクタ１の後部には、壁内を引き回して敷設された光ファイバＦ２を保持したプラグＰ２が挿入保持されている。また、蓋１０１が開かれた状態において、コネクタ１の前面はコンセント筐体１００の外部を望んでおり、この前面から、例えば屋内の光通信機器に接続された光ファイバＦ１を保持している標準プラグＰ１がコネクタ１に挿入されている。この、蓋１０１が開かれた状態において、プラグＰ１がコネクタ１に挿入されていない場合、上述の観音開扉３が、光ファイバＦ２によって導波され放出されるレーザ光を遮断する。なお、図２（ｂ）は、コンセント非使用時のコネクタ１の収納状態を示す。
【００２１】
コネクタ１の内部構造を説明する。コネクタ１は、図３に示すように、前後方向両端にそれぞれ開口１１及び開口１２を有し、突起２０により外形の上下が区別される合成樹脂成形体からなる略矩形筒状のハウジング２と、開口１１，１２から挿入されるプラグＰ１，Ｐ２（図２参照）をそれぞれ着脱自在に係止して、プラグＰ１，Ｐ２の保持した光ファイバを互いに光結合させるためハウジング２に内蔵されたスリーブ４と、プラグＰ１の着脱に伴って変形して開口１１を自在に開閉する一対の扉片３０からなる観音開扉３と、観音開扉３を前方から抑えて支持する押え枠５と、を備えている。
【００２２】
ハウジング２の内部空間は、隔壁により左右に仕切られ、それぞれの空間にそれぞれ同一構造のスリーブ４と観音開扉３を備えている。スリーブ４は、軸方向に割溝の形成された調芯筒４０を内部に装着している。この調芯筒４０は、前後から挿入される前述のプラグＰ１，Ｐ２が保持した光ファイバを調芯する。なお、右側の開口１１において、プラグは挿入されていないが、説明のため開状態の扉片３０が示されている。
【００２３】
次に、図４、図５、図６を参照して上述のハウジング２とスリーブ４を説明する。図４（ａ）〜（ｂ）に示すように、ハウジング２の内部の天井面２１に、前述のスリーブ４をハウジング２内に係止するための複数の突起２２と、前述のプラグＰ１の位置決めを行うための凹段部２３と、さらにプラグＰ１が備える位置決め用突起２４ａ（図１１参照）と嵌合して直線挿入を確保するキー溝２４及びこれに連続する平面と、が形成されている。また、内部床面２５においても、同様に複数の突起２２と、凹段部２３が形成されている。さらに、隔壁２８の内面においても、スリーブ４の係止用の突起２２ａが形成されている。
【００２４】
ハウジング２の前端部には、後述する観音開扉の回動軸３２を収納するための支持溝２６が８ヶ所設けられている。また、ハウジング２の上下の壁面には、後述する押え枠５を係止するための貫通孔２７が４ヶ所設けられている。貫通孔２７内に設けられた段部２７ａを用いたスナップフィット構造により押え枠５がハウジング２に係止され固定される。また、隔壁２８の前方部に設けられた凹部２８ａは、観音開扉３が開状態のときの扉片３０の退避空間である。
【００２５】
図５（ａ）（ｂ）に示すハウジング２の前面図、後面図において、上述の突起２２、２２ａ、キー溝２４、支持溝２６、貫通孔２７、段部２７ａ等の配置と構造が分かる。
【００２６】
スリーブ４は、図６（ａ）〜（ｄ）に示すように、ハウジング２の内部空間に内接する矩形形状部４１と、この矩形形状部４１の前後の面からそれぞれ前方、後方に延設された左右一対のプラグ係止用腕木４３，４４と、矩形形状部４１の前面中央部から前方に延びる筒体４２と、矩形形状部４１の後面から後方に延びる上下一対の、前述のプラグＰ２を位置決めする位置決め板４５と、を備えている。
【００２７】
矩形形状部４１の上下面には、上述のハウジング２の天井面２１と床面２５に設けられた突起２２と嵌合する凹部４１ａが形成されている。また、矩形形状部４１には、筒体４２の内部空間と連通する円形孔が設けられており、円形孔には、前述のように、前後から挿入される前述のプラグＰ１，Ｐ２が保持した光ファイバを調芯する割溝の形成された調芯筒４０が装着されている。
【００２８】
次に、図７、図８（ａ）〜（ｄ）を参照して、観音開扉３について説明する。観音開扉３は、図７に示す扉片３０を２つ用いて構成される。扉片３０は、遮光機能を有する扉部材３１と、扉部材３１の回動軸３２と、扉部材３１を閉扉状態に自動復帰させる付勢力を与える捻りコイルバネ３３とから成る。扉部材３１は、一端面付近においてテーパ形状となった、次第に厚みが減少する大略扁平直方体形状を有している。この厚み減少部分は、観音開扉３が閉状態のときに２つの扉部材３１を互いに重ねる部分であり、この重ね部分により遮光が確実とされる（図３（ｂ）参照）。
【００２９】
扉部材３１の前面３１ａは、上述のテーパ形状により、コネクタ１に着脱されるプラグＰ１（図２）が接触して滑りながら観音開扉３を開閉し易く、また、観音開扉３の閉状態における外観面に相応しい構造に成っている。また、扉部材３１の後面３１ｂには、捻りコイルバネ３３のコイル本体部分と２つの腕部分とを収納する凹部３１ｃ，３１ｄ，３１ｅが設けられている。
【００３０】
回動軸３２は、例えば、ステンレス製の単純な丸材である。扉部材３１の厚みが減少する端面と反対側の端面近傍において、回動軸３２を挿通する貫通孔３１ｆが設けられている。
【００３１】
次に、図９（ａ）〜（ｇ）を参照して、押え枠５について説明する。押え枠５の前面外形はハウジング２の前面外形より若干小さい概略長方形である。押え枠５は、ハウジング２の開口１１より狭い開口１１ａを備えている。また、開口１１ａの上下には、この開口１１ａを通してコネクタ１に着脱するプラグＰ１の上下位置決め用突起２４ａを通過させるための切欠５４が設けられている（図１１により後述）。なお、この押え枠５は、上下及び左右に関して対称な形状を有している。
【００３２】
押え枠５の上下の辺には、後方に向かって延伸した各開口１１ａ当たり１対の押え枠係止用腕５３が設けられている。この係止用腕５３は、前述のハウジング２における貫通孔２７内に挿入され、係止用腕５３の段部５３ａと貫通孔２７内の段部２７ａが互いに係合（スナップフィット）される。
【００３３】
押え枠５の後面において、各開口１１ａの左右の上下位置には、上述の扉部材３１の回動中心となる回動軸３２を支持溝２６内に押さえて支持する押え突起５２が設けられている（図１０、後述）。また、上下の押え突起５２に挟まれた位置に形成された凹部５５は、扉部材３１の回動軸回り部分の退避空間である。また、凹部５５が形成されていない上下の辺材部５６は、扉片３０が閉状態においてここに扉部材３１が接触することになり、従って、押え枠５の辺材部５６により観音開扉３の回転停止を行うことができる（図３（ｂ）参照）。
【００３４】
押え枠５は、互いに識別可能な複数の色のいずれかにより着色して用いられることにより以下の効果が得られる。例えば、複数の光コンセント用コネクタに対して押え枠の色を変えることにより、コネクタ１をモジュララックに多数納めた状態においても識別が容易である。従って、マンション等においてコネクタ１を集合して用いる場合に、各階毎にコネクタ１の色分けをしたり、光通信の基地局において地域毎にコネクタ１の色分けをして、コネクタ識別の容易性により光ファイバ接続接続作業等における利便性が高められる。
【００３５】
次に、図１０を参照して、観音開扉３と押え枠５のハウジング２への組み込みについて説明する。図１０（ａ）は、観音開扉３が組み込まれる前のハウジング２の前面を示しており、この図のＰ−Ｐ断面、及びＱ−Ｑ断面における観音開扉３の組込の様子を図１０（ｂ）〜（ｅ）に示す。観音開扉３の組込は、図１０（ｂ）に示すように、扉部材３１に捻りコイルバネ３３と回動軸３２を装着した２組の扉片３０を準備し、各回動軸３２の両端をハウジング２の前面に設けられた支持溝２６に収納する。
【００３６】
続いて、図１０（ｃ）に示すように、係止用腕５３をハウジング２の貫通孔２７に挿入しつつ押え枠５をハウジング２の前方から被せ、回動軸３２を押え突起５２により押えるとともに、押え枠５をハウジング２に係止して回動軸３２を支持して、組込が完了する。矢印Ｒ１，Ｒ２は、閉状態の扉片３０を開状態とするときの扉片３０の回動方向を示す。なお、図１０（ｄ）（ｅ）は、扉片３０の開状態を示す。
【００３７】
次に、図１１（ａ）（ｂ）を参照して、押え枠５によるプラグＰ１の逆入れ防止について説明する。押え枠５は、上述したように上下対称であるが、図１１（ａ）に示すようにハウジング２の上下非対称性に起因して、ハウジング２に押え枠５を装着した状態において、ハウジング２の開口１１（扉片３０の納まっている上下領域）と押え枠５の上下開口ａとは上下位置がずれて上下位置判別が可能となっている。この状態で、プラグＰ１の上下位置決め用突起２４ａを上にして、プラグＰ１を正常にハウジング２に挿入する場合、突起２４ａは、押え枠５の切欠５４を通過し、キー溝２４に納まり、プラグＰ１が正しくコネクタ１に接続される。
【００３８】
また、図１１（ｂ）に示すように、プラグＰ１を上下逆さまにしてハウジング２に挿入しようとすると、プラグＰ１の上下位置決め用突起２４ａがハウジング２の前方端に当たるので逆入れが防止される。なお、押え枠５は、開口１１の周囲を覆うので、ハウジング２と観音開扉とのすき間が少なく、ホコリなどの異物がハウジング２内に入りにくくする効果がある。
【００３９】
図１２（ａ）（ｂ）は、上述したハウジング２、観音開扉３、スリーブ４、及び押え枠５を備えて構成されたコネクタ１にプラグを挿入した状態を示す。プラグＰ１はプラグ係止用腕木４４により係止され、プラグＰ２は位置決め用突起２４ａとキー溝２４が嵌合した状態でプラグ係止用腕木４３により係止されている。両プラグＰ１，Ｐ２の先端部は、調芯筒４０によって調芯された状態となり、互いの光ファイバが光結合されている。なお、本発明は、上記構成に限られることなく種々の変形が可能である。例えば、コネクタ１は、２系統の光ファイバを接続する以外に、１系統の光ファイバや３系統以上の光ファイバを接続するように構成できる。
【図面の簡単な説明】
【００４０】
【図１】本発明の一実施形態に係る光コンセント用コネクタの斜視図。
【図２】（ａ）は同上コネクタの使用状態を示す一部断面側面図、（ｂ）は同上コネクタの設置状態を示す一部断面側面図。
【図３】（ａ）は同上コネクタの前面図、（ｂ）は（ａ）のＡ−Ａ断面図、（ｃ）は同上コネクタの後面図、（ｄ）は（ａ）のＢ−Ｂ断面図。
【図４】（ａ）は同上コネクタのハウジングの前後左右平面による断面図、（ｂ）は同ハウジングの前後上下平面による断面図、（ｃ）は（ｄ）のＦ−Ｆ断面図、（ｄ）は（ｂ）のＤ１−Ｄ１断面図及びＤ２矢視図。
【図５】（ａ）は同上コネクタのハウジングの前面図、（ｂ）は後面図。
【図６】（ａ）は同上コネクタのスリーブの上方向からの平面図、（ｂ）は同スリーブの後面図、（ｃ）は同スリーブの前後左右平面による断面図、（ｄ）は（ｃ）のＧ−Ｇ断面図。
【図７】同上コネクタの観音開扉を構成する扉片の分解斜視図。
【図８】（ａ）は同上観音開扉の扉部材の前面図、（ｂ）は同扉部材の側面図、（ｃ）は同扉部材の後面図及び断面形状図、（ｄ）は（ｃ）のＨ−Ｈ断面図。
【図９】（ａ）は同上コネクタの押え枠の前面図、（ｂ）は（ａ）のＪ−Ｊ断面図、（ｃ）は（ａ）のＫ矢視図、（ｄ）は同押え枠の後面図、（ｅ）は（ａ）のＬ−Ｌ断面図、（ｆ）は（ａ）のＭ矢視図、（ｇ）は（ｄ）のＮ部詳細斜視図。
【図１０】（ａ）は同上コネクタのハウジングの前面図、（ｂ）は同ハウジングに観音開扉を取り付ける様子を説明する（ａ）のＰ−Ｐ位置における断面図、（ｃ）は同じく（ａ）のＱ−Ｑ位置における断面図、（ｄ）は同上コネクタの開扉状態の（ａ）のＰ−Ｐ位置における断面図、（ｅ）は同開扉状態の（ａ）のＱ−Ｑ位置における断面図。
【図１１】（ａ）は同上コネクタの前後上下断面図とプラグの一部側面図、（ｂ）は同コネクタの前後上下方向断面図と挿入途中のプラグの一部側面図。
【図１２】（ａ）は同上コネクタの使用状態を示す前後左右平面による断面図及び挿入されたプラグの下面図、（ｂ）は同上コネクタの使用状態を示す前後上下平面による断面図及び挿入されたプラグの側面図。
【図１３】（ａ）は先願に係る光コンセント用コネクタの前面図、（ｂ）は（ａ）のＶ−Ｖ断面図、（ｃ）は同コネクタの後面図、（ｄ）は（ａ）のＵ−Ｕ断面図、（ｅ）は（ａ）のＷ−Ｗ断面図。
【符号の説明】
【００４１】
１    光コンセント用コネクタ
２    ハウジング
３    観音開扉
４    スリーブ
５    押え枠
１１，１２    開口
２６    支持溝
３２    回動軸
１１ａ    開口（押え枠の）
Ｆ１，Ｆ２    光ファイバ
Ｐ１，Ｐ２    プラグ
【図１】
2006003468.tif 000003
【図２】
2006003468.tif 000004
【図３】
2006003468.tif 000005
【図４】
2006003468.tif 000006
【図５】
2006003468.tif 000007
【図６】
2006003468.tif 000008
【図７】
2006003468.tif 000009
【図８】
2006003468.tif 000010
【図９】
2006003468.tif 000011
【図１０】
2006003468.tif 000012
【図１１】
2006003468.tif 000013
【図１２】
2006003468.tif 000014
【図１３】
2006003468.tif 000015